(57)【要約】【課題】本願発明の課題は、従来の問題を解決することであり、すなわち高い位置にレーザスキャナを設置する計測であっても、容易に短時間で盛り替え作業を行うことができる測量機器の支持装置と、これを用いた計測方法を提供することである。【解決手段】  本願発明の測量機器の支持装置は、測量機器を据えつける装置であり、支柱と筒状の基台を備えたものである。この支柱の頂部には測量機器を装着するための装着治具が設けられている。中空の支柱内に基台を挿入することで（あるいは、中空の基台内に支柱を挿入することで）、略鉛直（鉛直含む）姿勢で支柱が基台に支持される。【選択図】図１
2018151214.tif 000002
【特許請求の範囲】
【請求項１】
測量機器を据えつける支持装置において、
支柱と、筒状の基台と、を備え、
前記支柱の頂部には測量機器を装着するための装着治具が設けられ、
中空の前記支柱内に前記基台を挿入することで、又は中空の前記基台内に前記支柱を挿入することで、該基台が該支柱を鉛直又は略鉛直姿勢で支持する、
ことを特徴とする測量機器の支持装置。
【請求項２】
前記支柱と前記基台のうち、一方の側面に突起が設けられるとともに、他方の側面に案内溝が設けられ、
前記支柱又は前記基台を挿入する際、前記案内溝に差込まれた前記突起が該案内溝に案内される、
ことを特徴とする請求項１記載の測量機器の支持装置。
【請求項３】
三脚に取り付けるための装着治具が、前記基台の底面に設けられた、
ことを特徴とする請求項１又は請求項２記載の測量機器の支持装置。
【請求項４】
前記支柱が、２以上の分割柱を連結することで形成された、
ことを特徴とする請求項１乃至請求項３のいずれかに記載の測量機器の支持装置。
【請求項５】
前記支柱に把手が設けられた、
ことを特徴とする請求項１乃至請求項４のいずれかに記載の測量機器の支持装置。
【請求項６】
支柱と筒状の基台を備えた支持装置を用いて計測を行う方法であって、
２以上の計測地点に、それぞれ前記基台を設置する基台設置工程と、
前記支柱の頂部に設けられた装着治具に、測量機器を装着する測量機器装着工程と、
中空の前記支柱内に前記基台を挿入することで、又は中空の前記基台内に前記支柱を挿入することで、該支柱が鉛直又は略鉛直姿勢となるように該基台で支持し、該支柱の頂部に装着された測量機器で計測を行う実測工程と、を備え、
前記実測工程は、前記基台設置工程で前記基台が設置されたそれぞれ計測地点で、移動しながら繰り返し行われる、
ことを特徴とする支持装置を用いた計測方法。
【請求項７】
前記支柱と前記基台のうち、一方の側面に突起が設けられるとともに、他方の側面に案内溝が設けられ、
前記実測工程では、前記突起を前記案内溝に差込み、該案内溝によって該突起を案内しながら前記支柱又は前記基台を挿入する、
ことを特徴とする請求項６記載の支持装置を用いた計測方法。
【発明の詳細な説明】
【技術分野】
【０００１】
本願発明は、測量機器を据えつけるための支持装置に関するものであり、より具体的には、通常よりも高い位置に測量機器を据えつけることができる支持装置と、これを用いた計測方法に関するものである。
【背景技術】
【０００２】
高度経済成長期に集中的に整備されてきた建設インフラストラクチャー（以下、「建設インフラ」という。）は、既に相当な老朽化が進んでいることが指摘されている。平成２６年には「道路の老朽化対策の本格実施に関する提言（社会資本整備審議会）」がとりまとめられ、平成２４年の笹子トンネルの例を挙げて「近い将来、橋梁の崩落など人命や社会装置に関わる致命的な事態を招くであろう」と警鐘を鳴らし、建設インフラの維持管理の重要性を強く唱えている。
【０００３】
このような背景のもと、国は道路法施行規則の一部を改正する省令を公布し、具体的な建設インフラの点検方法、主な変状の着目箇所、判定事例写真などを示した定期点検要領を策定している。この定期点検要領では、約７０万橋に上るといわれる橋長２．０ｍ以上の橋を対象としており、供用開始後２年以内に初回点検、以降５年に１回の頻度で定期点検を行うこととしている。
【０００４】
建設インフラの点検を行うに当たっては、その形状や位置（座標）を把握するため計測を行うことがある。本来であれば設計図や竣工図が保存されているはずであるが、これらの図は紛失されていることがあり、あるいは供用後に位置や形状が変化していることもあり、このような場合には点検対象である建設インフラを改めて計測するわけである。
【０００５】
従来、構造物の形状等を計測する場合はトータルステーションによる手法が主流であったが、昨今では地上型レーザ計測も広まりつつある。この地上型レーザ計測は、トータルステーションと同様、既知点上に略水平姿勢でレーザスキャナを設置し、計測対象に対して照射したレーザパルスの反射信号を受けて計測する手法である。例えば橋梁の床版など高い位置にある対象を計測する際、トータルステーションではターゲットを置くため足場や高所作業車を必要としていたが、地上型レーザ計測では足場等の設置が必要なく大幅な省力化を図ることができる。
【０００６】
レーザスキャナは既知点上に設置すると説明したが、通常は既知点上に据えた三脚上に設置される。そして、高い点群密度を得るためには測量対象にできるだけ近づけるのが望ましく、したがって橋梁床版など高所を計測するためにはレーザスキャナも高い位置に設置するのがよく、例えば三脚を可能な限り高く据え、その上にレーザスキャナを設置することもある。あるいは、地上の広範囲（河川堤防や海岸など）を対象とするケースでは、高い位置から計測する方が俯瞰的に計測できることから、この場合もやはり高く据えた三脚上にレーザスキャナを設置することがある。
【０００７】
三脚は、レーザスキャナのほか種々の測量機器の設置用に利用されるものであり、原則として脚を広げた状態で据えたほうが安定する。しかしながら、スペースに制限がある場合は３点間を近づけた状態で据えなければならないこともある。そこで特許文献１では、スペースに制限がある場合でも測量機器を安定して設置することができる測量器用支持装置を提案している。
【先行技術文献】
【特許文献】
【０００８】
【特許文献１】特開２００５−３３７８８８号公報
【発明の概要】
【発明が解決しようとする課題】
【０００９】
ところで、１台の測量機器で広範囲の計測を行う場合、複数の地点に測量機器を設置しながら計測を行うことになる。具体的には、三脚とともに測量機器を移動し、移動するたびに既知点上に三脚を据え、さらに水平姿勢となるように測量機器を設置しなければならない。この盛り替え作業は、想像以上に時間と手間を要し、計測全体の工程にも大きな影響を及ぼしていた。特に、レーザスキャナを高い位置に設置するため三脚を可能な限り高く据える場合、この支持体を移動しかつ据え付ける手間が増えることから、全体工程に著しい影響を及ぼし、その工期と計測コストを押し上げる要因となっていた。
【００１０】
本願発明の課題は、従来の問題を解決することであり、すなわち高い位置にレーザスキャナを設置する計測であっても、容易に短時間で盛り替え作業を行うことができる測量機器の支持装置と、これを用いた計測方法を提供することである。
【課題を解決するための手段】
【００１１】
本願発明は、支柱と基台を含んで構成される支持装置を用い、三脚に固定された基台に測量機器が装着された支柱を取り付ける、という点に着目したものであり、従来にはなかった発想に基づいてなされた発明である。
【００１２】
本願発明の測量機器の支持装置は、測量機器を据えつける装置であり、支柱と筒状の基台を備えたものである。この支柱の頂部には測量機器を装着するための装着治具が設けられている。中空の支柱内に基台を挿入することで（あるいは、中空の基台内に支柱を挿入することで）、略鉛直（鉛直含む）姿勢で支柱が基台に支持される。
【００１３】
本願発明の測量機器の支持装置は、支柱（又は基台）の側面に突起が設けられ、基台（又は支柱）の側面に案内溝が設けられたものとすることもできる。この場合、支柱（又は基台）を挿入する際、案内溝に差込まれた突起がこの案内溝によって案内される。
【００１４】
本願発明の測量機器の支持装置は、基台の底面に装着治具（三脚に取り付けるための治具）が設けられたものとすることもできる。
【００１５】
本願発明の測量機器の支持装置は、支柱が２以上の分割柱を連結することで形成されたものとすることもできる。
【００１６】
本願発明の測量機器の支持装置は、支柱に把手（とって）が設けられたものとすることもできる。
【００１７】
本願発明の支持装置を用いた計測方法は、支柱と筒状の基台を備えた支持装置を用いて計測を行う方法であり、基台設置工程と、測量機器装着工程、実測工程を備えた方法である。基台設置工程では、２以上の計測地点にそれぞれ基台を設置し、測量機器装着工程では、支柱の頂部に設けられた装着治具に測量機器を装着する。そして実測工程では、中空の支柱内に基台を挿入することで（あるいは、中空の基台内に支柱を挿入することで）、基台で略鉛直（略鉛直）姿勢の支柱を支持し、この支柱の頂部に装着された測量機器で計測を行う。なお実測工程は、基台設置工程で基台が設置されたそれぞれ計測地点で、移動しながら繰り返し行われる。
【００１８】
本願発明の支持装置を用いた計測方法は、支柱（又は基台）側面に突起が設けられ、基台（又は支柱）側面に案内溝が設けられた支持装置を用いて計測を行う方法とすることもできる。この場合の実測工程では、突起を案内溝に差込み、この案内溝によって突起を案内しながら支柱（又は基台）を挿入する。
【発明の効果】
【００１９】
本願発明の測量機器の支持装置、及び支持装置を用いた計測方法には、次のような効果がある。
（１）高い位置でレーザスキャナを据え付けることができる。この結果、高所の対象物に対しても高い点密度で計測することができ、地上を俯瞰した状態で計測することができる。
（２）あらかじめセットされた基台に取り付けるだけで、測量機器が装着された支柱を支持することができるため、容易かつ短時間で測量機器をを据え付けることができる。この結果、計測全体の工程が短縮され、計測に掛かるコストの低減も図ることができる。
（３）支柱（又は基台）側面に突起を設け、基台（又は支柱）側面に案内溝を設けると、支柱（又は基台）の突起が案内溝に案内されることから、より容易かつ短時間に測量機器を据え付けることができる。
【図面の簡単な説明】
【００２０】
【図１】本願発明の測量機器の支持装置を示す側面図。
【図２】２以上の分割柱で構成された支柱の側面図。
【図３】支柱本体と調整用支柱で構成された支柱の側面図。
【図４】（ａ）は中空の基台の中に挿入された支柱を示す部分側面図、（ｂ）は中空の支柱の中に挿入された基台を示す部分側面図。
【図５】（ａ）は突起が設けられた支柱と案内溝が設けられた基台を示す正面図、（ｂ）は突起が設けられた支柱と案内溝が設けられた基台を示す側面図。
【図６】（ａ）は突起が設けられた支柱とＬ字状の案内溝が設けられた基台を示す正面図、（ｂ）は突起が設けられた支柱とＬ字状の案内溝が設けられた基台を示す側面図。
【図７】本願発明の支持装置を用いた計測方法の主な工程の流れを示すフロー図。
【図８】（ａ）は３箇所に基台を設置する工程を示すステップ図、（ｂ）は支柱を第１の基台に立込む工程を示すステップ図、（ｃ）は支柱を移動して第２の基台に支柱を立込む工程を示すステップ図、（ｄ）は支柱を移動して第３の基台に支柱を立込む工程を示すステップ図。
【発明を実施するための形態】
【００２１】
本願発明の測量機器の支持装置、及び支持装置を用いた計測方法の実施形態の一例を、図に基づいて説明する。
【００２２】
１．測量機器の支持装置
はじめに、本願発明の「測量機器の支持装置」について説明する。図１は、本願発明の測量機器の支持装置１００を示す側面図であり、この図に示すように測量機器の支持装置１００は、支柱１１０と基台１２０を含んで構成される。
【００２３】
（支柱）
支柱１１０は、断面寸法よりも軸方向の寸法が極端に大きないわゆる柱状の形状であり、例えば円柱や角柱といった形状とされる。そしてこの支柱１１０の頂部には、レーザスキャナやトータルステーションといった測量機器２００を装着するための測量機器用装着治具１１１が設けられている。測量機器用装着治具１１１は、測量機器２００に合わせた形式のものが採用され、例えば、測量機器２００に雌ネジが設けられている場合は測量機器用装着治具１１１として雄ネジなどが設けられる。
【００２４】
支柱１１０は、測量機器２００を高い位置に設置するものであり、したがって相当の軸長を有することからやや持ち運び難い面がある。そこで図１に示すように、支柱１１０の側面に１又は２以上の把手１１３を設けるとよい。この把手１１３を利用すれば、人による持ち運びが容易になるうえ、後述するように支柱１１０を立込む際も把手１１３を持って支えることができる。
【００２５】
また支柱１１０は、運搬や収納を容易にするため、図２に示すように２以上の分割柱１１０ｓで構成することもできる。この図では、支柱１１０が４つの分割柱１１０ｓによって構成されており、これらを連結することによって支柱１１０が形成される構造となっている。具体的には、それぞれの頂部に設けられた雄ネジと、それぞれの底部に設けられた雌ネジを螺合することで連結するわけである。
【００２６】
図２では同じ分割柱１１０ｓによって支柱１１０を構成する例を示したが、これに代えて異なる形状の分割柱によって支柱１１０を構成することもできる。例えば図３に示すように、分割柱として支柱本体１１０ｐと調整用支柱１１０ｄを用意し、これらを連結することで支柱１１０を形成することもできる。図２の例では、同じ形状の分割柱１１０ｓを使用することからその順を考えながら連結する必要がなく、一方図３の例では、適切な高さの調整用支柱１１０ｄを採用することで支柱本体１１０ｐを常用することができる。
【００２７】
（基台）
基台１２０は、中空又は中実の筒状であり、例えば円柱や角柱といった形状とされる。そしてこの基台１２０の底部には、三脚３００に取り付けるための三脚用装着治具１２１が設けられている。この三脚用装着治具１２１は、図４（ａ）に示すようにその中央に小孔が設けられた板状のものであり、この小孔には三脚３００の雄ネジが螺合するための雌ネジが設けられている。なお、あらかじめ用意された水平面上に基台１２０を直接設置する場合は、必ずしも三脚用装着治具１２１を設ける必要はない。
【００２８】
（支柱の立込み）
測量機器の支持装置１００は、基台１２０を利用して支柱１１０を立込むことで組み立てられる。具体的には、図４（ａ）に示すように中空の基台１２０の中に挿入することで支柱１１０を立込み、測量機器の支持装置１００が組み立てられる。あるいは、図４（ｂ）に示すように中空の支柱１１０の中に基台１２０を挿入することで、言い換えれば中空の支柱１１０内に基台１２０を収めることで、支柱１１０を立込む形式としてもよい。したがって、支柱１１０の外形断面と基台１２０の中空断面、あるいは支柱１１０の中空断面と基台１２０の外形断面は、それぞれ略同じ形状とするとよい。
【００２９】
立込まれた支柱１１０は、基台１２０に支持されて自立する。このとき、基台１２０の底面を略水平（水平含む）とすれば基台１２０の姿勢（軸方向）は略鉛直（鉛直含む）となり、支柱１１０の姿勢（軸方向）も略鉛直（鉛直含む）となる。なお支柱１１０は、基台１２０を（あるいは基台１２０に）挿入しただけの状態とすることもできるし、挿入後にボルト等の固定具を利用して堅固に基台１２０に固定することもできる。あるいは、基台１２０（支柱１１０）側面にバネ固定された突起体を設け、支柱１１０（基台１２０）側面にはこの突起体が貫入する小孔を設けた機構とすることもできる。突起体を押し込めた状態の基台１２０（支柱１１０）を支柱１１０（基台１２０）に挿入し、突起体と小孔の位置を合わせ、バネの作用により突起体を小孔に貫入させるわけである。
【００３０】
支柱１１０は測量機器２００を装着した状態で立込まれることから、その方向を調整するケースもある。つまり、測量機器２００が所定の方向に向くように、支柱１１０を鉛直軸周りに回転させながら立込むわけである。この場合、支柱１１０と基台１２０のうち、一方の側面に突起を設け、他方の側面に案内溝を設けておくと、支柱１１０の方向性が定まって好適となる。例えば、図５に示すように支柱１１０の側面に突起１１２を設けるとともに、基台１２０の側面に案内溝１２２を設け、この案内溝１２２が目的の方向に向くように基台１２０を設置しておく。そして支柱１１０を立込む際に、突起１１２を案内溝１２２に差し込むと、後は突起１１２が案内溝１２２に案内され、支柱１１０に装着された測量機器２００も自動的に目的の方向を向くわけである。
【００３１】
案内溝１２２は、図５に示すように直線状に形成することもできるし、図６に示すようにＬ字状（カギ状）に形成することもできる。案内溝１２２をＬ字状に形成すれば、支柱１１０が上方に抜けに難くなって好適となる。なお図５や図６では、支柱１１０の側面に突起１１２を設け、基台１２０の側面に案内溝１２２を設ける場合を例示しているが、これに限らず、支柱１１０の側面に案内溝を設け、基台１２０の側面に突起を設けることもできる。
【００３２】
２．支持装置を用いた計測方法
次に、本願発明の「支持装置を用いた計測方法」について図７と図８を参照しながら説明する。なお、本願発明の支持装置を用いた計測方法は、測量機器の支持装置１００を使用して行う方法であり、したがって「１．測量機器の支持装置」で説明した内容と重複する説明はここでは避け、支持装置を用いた計測方法に特有の内容のみ説明することとする。すなわち、ここに記載されていない内容は、「１．測量機器の支持装置」で説明したものと同様である。
【００３３】
図７は支持装置を用いた計測方法の主な工程の流れを示すフロー図であり、図８は主要な工程を示すステップ図である。図７に示すように、あらかじめ計画した複数の計測地点に三脚３００を据え付け、その三脚３００に基台１２０を取り付ける（Ｓｔｅｐ１００）。例えば、図８（ａ）では、３箇所の計測地点に三脚３００が据え付けられ、それぞれの三脚３００に基台１２０が取り付けられている。
【００３４】
測量機器２００による計測を行う前に、あらかじめ測量機器２００を支柱１１０に装着する（Ｓｔｅｐ２００）。なお、計測地点の数（図８では３箇所）だけ基台１２０を用意する（つまり３つの基台１２０を用意する）のに対して、支柱１１０と測量機器２００は１セットのみ用意される。支柱１１０の準備が整うと図８（ｂ）に示すように、測量機器２００が装着された支柱１１０を第１の基台１２０に立込み（Ｓｔｅｐ３００）、ボルト等を使用して支柱１１０を基台１２０に固定する（Ｓｔｅｐ４００）。そして、測量機器２００による所定の計測を行う（Ｓｔｅｐ５００）。
【００３５】
第１の計測地点での計測が終わると第１の基台１２０から支柱１１０を取り外し、図８（ｃ）に示すように第２の計測地点まで支柱１１０を移動して第２の基台１２０に立込み、そして所定の計測を行う。さらに第２の計測地点での計測が終わると、図８（ｄ）に示すように第３の計測地点まで移動して第３の基台１２０に支柱１１０を立込み、所定の計測を行う。このように、計画した計測地点すべてに対して一連の工程を繰り返し行って、対象範囲の計測を完了する。
【産業上の利用可能性】
【００３６】
本願発明の測量機器の支持装置、及び支持装置を用いた計測方法は、建設インフラをはじめ様々な対象物を計測する際に利用することができる。また、屋外にある対象物のほか、屋内の対象物を計測する際にも利用することができる。
【符号の説明】
【００３７】
１００    測量機器の支持装置
１１０    （測量機器の支持装置の）支柱
１１０ｓ  分割柱
１１０ｐ  支柱本体
１１０ｄ  調整用支柱
１１１    （支柱の）測量機器用装着治具
１１２    （支柱の）突起
１１３    （支柱の）把手
１２０    （測量機器の支持装置の）基台
１２１    （基台の）三脚用装着治具
１２２    （基台の）案内溝
２００    測量機器
３００    三脚
【図１】
2018151214.tif 000003
【図２】
2018151214.tif 000004
【図３】
2018151214.tif 000005
【図４】
2018151214.tif 000006
【図５】
2018151214.tif 000007
【図６】
2018151214.tif 000008
【図７】
2018151214.tif 000009
【図８】
2018151214.tif 000010